(57)【特許請求の範囲】
【請求項１】
可撓管の一端に設けられた端管に取り付けられるヘッドカバー装置において、
最大外径が上記可撓管と略同径又はやや大径のカバー本体と、
上記カバー本体の先端側外周面にワイヤが取り付けられるワイヤ取付部と、
上記カバー本体の上記ワイヤ取付部と反対側の基端部に設けられる上記端管に接続するための接続部とを備え、
上記端管は、上記カバー本体が先端側へ脱落を防止するストッパ部を有し、
上記カバー本体は、第１の半体と第２の半体とを有し、
上記接続部は、上記ストッパ部に係止される上記第１の半体に設けられる第１の係止部と、上記第２の半体に設けられる第２の係止部とを有し、
上記接続部は、上記端管に対して上記ストッパ部より内側に配置された状態で上記第１の半体と上記第２の半体とを突き合わせ、上記第１の半体と上記第２の半体とを結合部材によって一体に結合することを特徴とするヘッドカバー装置。
【請求項２】
上記ワイヤ取付部は、上記第１の半体と上記第２の半体のそれぞれに設けられる貫通孔を有し、
更に、上記第１の半体と上記第２の半体の貫通孔を挟み込む略Ｕ字状をなし、上記第１の半体と上記第２の半体に取り付けるための取付孔が形成されると共に、ワイヤが取り付けられるワイヤ取付部材を有し、
上記ワイヤ取付部材は、上記第１の半体と上記第２の半体とを結合する結合部材が上記取付孔と上記第１の半体と上記第２の半体の貫通孔に挿入されることによって取り付けられることを特徴とする請求項１記載のヘッドカバー装置。
【請求項３】
上記ワイヤ取付部は、貫通孔を有し、
更に、上記ワイヤは、貫通孔に係止されるワイヤ取付部材に取り付けられることを特徴とする請求項１記載のヘッドカバー装置。
【発明の詳細な説明】
【技術分野】
【０００１】
本発明は、可撓管を保護するヘッドカバー装置に関する。
【背景技術】
【０００２】
長年月にわたり地中に埋設されている既設管の管路更新工法として、パイプインパイプ工法がある。パイプインパイプ工法では、既設管に沿って適当距離をおいて発進坑と到達坑とを設け、次いで、ロープ、ワイヤ、シャフト等を用いて既設管内より径の小さな新規管を引き込んで発進坑から既設管の内部に順次挿入させ、到達坑内において、例えば、溶接や導管接続装置を用いて新規管と既に管路更新された他の新規管とを接続させて配管を行う。
【０００３】
パイプインパイプ工法は、埋設されている既設管を掘り起こして撤去し、新規管に取り替える開削工法に比べて、非常に経済的であり、発進坑及び到達坑を設けるだけで長大な管路の更新ができるので、工期が短くなり、開削工法の実施が困難な都市部の管路更新工法として用いられることがある。
【０００４】
パイプインパイプ工法において、ロープ、ワイヤ、シャフト等を用いて既設管内に挿入される新規管として、例えば、特許文献１の可撓管を用いることができる。特許文献１の可撓管は、例えば障害物を迂回するために既設管と既設管とが所定の角度で曲がっている場合や、地盤沈下等で既設管の継ぎ目が曲がってしまった場合においても挿入することができる。
【０００５】
しかしながら、特許文献１の可撓管をそのまま既設管内に挿入した場合には、例えば、既設管内に形成された継ぎ目の段差に、可撓管の挿入端やその近傍等が引っ掛かり、傷が付いてしまう虞があり、作業に手間が係る虞がある。
【０００６】
【特許文献１】特開平１１−０７１８０６号公報
【発明の開示】
【発明が解決しようとする課題】
【０００７】
本発明は、このような従来の事情に鑑みて提案されたものであり、可撓管を既設管に挿入する際に、挿入する可撓管を保護するヘッドカバー装置を提供することを目的とする。
【０００８】
また、本発明は、既設管内に可撓管を挿入するにあたって、可撓管の端管に容易に接続することができるヘッドカバー装置を提供することを目的とする。
【課題を解決するための手段】
【０００９】
上述した目的を達成する本発明に係るヘッドカバー装置は、可撓管の一端に設けられた端管に取り付けられ、最大外径が上記可撓管と略同径又はやや大径のカバー本体と、上記カバー本体の先端側外周面にワイヤが取り付けられるワイヤ取付部と、上記カバー本体の上記ワイヤ取付部と反対側の基端部に設けられる上記端管に接続するための接続部とを備える。更に、上記端管は、上記カバー本体が先端側へ脱落を防止するストッパ部を有し、上記カバー本体は、第１の半体と第２の半体とを有し、上記接続部は、上記ストッパ部に係止される上記第１の半体に設けられる第１の係止部と、上記第２の半体に設けられる第２の係止部とを有し、上記接続部は、上記端管に対して上記ストッパ部より内側に配置された状態で上記第１の半体と上記第２の半体とを突き合わせ、上記第１の半体と上記第２の半体とを結合部材によって一体に結合する。
【発明の効果】
【００１０】
本発明によれば、カバー本体の最大外径が可撓管と略同径又はやや大径に設けられているので、既設管に挿入する際に、可撓管を保護することができる。
【発明を実施するための最良の形態】
【００１１】
以下、本発明が適用されたヘッドカバー装置１について、図面を参照して説明する。なお、ここでは、既設管の管路更新工法であるパイプインパイプ工法により、既設水道管４の管路更新が行われる場合を例にとり説明する。
【００１２】
パイプインパイプ工法では、図１に示すように、既設水道管４に沿って適当距離をおいて発進坑２と到達坑３とを設け、既設水道管４の内径より径の小さな新規管である第１の導管５の先端に本発明が適用されたヘッドカバー装置１を接続し、このヘッドカバー装置１にワイヤ４７を取り付けて、ウインチ等でワイヤ４７を巻き取り第１の導管５を引き込んで発進坑２から既設水道管４の内部に挿入し、到達坑３内にヘッドカバー装置１が接続された第１の導管５の先端を露出させる。そして、パイプインパイプ工法では、到達坑３内において、第１の導管５の一端に挿口７を設け、既に管路更新された他の新規管である第２の導管６の他端に受口８を設け、これら挿口７と受口８とを接続して配管を行う。
【００１３】
ここで、既設水道管４の内部に挿入される第１の導管５及び第２の導管６は、例えば、図２に示すように、可撓性や伸縮性、さらに密閉性を有するベローズ管９の外周面にブレード１０が巻回されて形成され、ベローズ管９の両端には挿口７又は受口８となる端管１２が設けられている。
【００１４】
ベローズ管９は、図２に示すように、機械的特性と防錆性に優れたステンレス材等の金属材料からなり、凸部が連続して管軸方向に形成されたベローズを有するベローズ本体９ａと、このベローズ本体９ａの両端部に端管１２と接続するためにそれぞれ直管状の接続部９ｂとが一体に設けられている。ベローズ管９は、既設水道管４の内径より径が小さく設けられ、発進坑２から到達坑３まで達する十分な長さを有している。ベローズ管９は、例えば、作業者が容易に手で曲げることができる程度に可撓性や伸縮性を有するように、板厚、ベローズの数、高さ等が設計されている。
【００１５】
ベローズ本体９ａのベローズを構成する各凸部によって形成された凹溝の底部は、直管状の接続部９ｂの内径より小さくならないように形成されている。これにより、ベローズ管９は、流路が接続部９ｂより細くなることがなくなり、ベローズ本体９ａで第１の導管５内に流れる水道水の流れが妨げられることを防止することができる。
【００１６】
ブレード１０は、図２に示すように、ベローズ本体９ａの伸長や局所的変形を防止するため、ベローズ本体９ａの外周面に、管軸方向に沿って全長に亘って巻回されている。ブレード１０は、例えば、帯状の金属薄板を網目状に織ってなるリボンブレードや金属線を網目状に織ってなるワイヤブレード等が用いられる。
【００１７】
接続部９ｂと接続される端管１２は、図２に示すように、機械的特性と防錆性に優れたステンレス材等の金属材料からなり、ベローズ管９の接続部９ｂの外径と略同径の内径を有する直管状に形成されている。
【００１８】
端管１２の他端は、ベローズ管９の接続部９ｂと接続される。具体的に、端管１２の他端は、図２に示すように、端管１２の内周面がベローズ管９の接続部９ｂの外周面に嵌合され、ベローズ本体９ａの強度が溶接時の熱等による歪み等で低下しないように、図２中の符号１５ａに示すように、接続部９ｂの先端と端管１２の内周面とが溶接され、ベローズ管９と一体化されている。
【００１９】
端管１２の他端には、外周面に、ステンレス材等の金属材料からなるリング形状の鍔部材１６が嵌合されている。端管１２の他端は、図２中の符号１５ｂに示すように、鍔部材１６の内周面と溶接により一体化されている。鍔部材１６は、ベローズ管９を構成する各凸部と略同じ高さとなるように形成され、端管１２に接続部９ｂが嵌合されたとき、ベローズ本体９ａの最外凸部に外側から突き当てられることによって、ベローズ本体９ａの端部を保護する。
【００２０】
なお、端管１２の他端には、リング形状の鍔部材１６が設けられることに限定されず、端管１２の他端の周回り方向にベローズ本体９ａの端部を保護する一又は複数個の舌片を設けるようにしてもよい。
【００２１】
鍔部材１６の外周面には、図２中の符号１５ｃで示すように、ベローズ本体９ａに巻回されたブレード１０の端部とブレード押さえ部材１７が溶接されている。ブレード押さえ部材１７は、リング形状であり、織物であるベローズ本体９ａに巻回されたブレード１０の端部が解れ広がらないように、ブレード１０の端部をベローズ本体９ａに押さえ付けて保護する。これにより、ブレード１０は、ベローズ本体９ａの一端において、ベローズ本体９ａに固定されている。
【００２２】
ベローズ管９に巻回されたブレード１０の外周面には、防錆テープ１８が巻回され、さらに、巻回された防錆テープ１８の外層部に保護テープ１９が巻回されている。防錆テープ１８と保護テープ１９は、ベローズ本体９ａの一端において、止めリング２０によって固定されている。防錆テープ１８は、ベローズ管９が長期間に亘って地中に埋設されることにより、粘着力が低下したテープ状の保護テープ１９から水が浸透した場合でも、ベローズ管９に達しないように腐蝕を防止させる。
【００２３】
なお、ベローズ本体９ａに巻回されるブレード１０、防錆テープ１８及び保護テープ１９は、ベローズ管９の可撓性、伸縮性等の特性を損なわせるものではない。また、防錆テープ１８、保護テープ１９、止めリング２０は、使用条件によっては、設けなくてもよい。
【００２４】
また、ベローズ管９に接続される端管１２は、図３に示すように、外周面に、周回り方向に全周に亘って後述する離脱防止部材１４が係合される凹溝１１と、周回り方向に全周に亘って後述するヘッドカバー装置１が係止されるストッパ部３３が形成されている。
【００２５】
凹溝１１は、溝幅が離脱防止部材１４の幅と略同様であり、離脱防止部材１４が係合された際に、離脱防止部材１４とフランジ部材１３とが当接されてフランジ部材１３を一端側に離脱防止することができる程度に離脱防止部材１４を端管１２の外周面から突出させる深さに形成されている。
【００２６】
ストッパ部３３は、図３に示すように、外径がフランジ部材１３の挿通孔１３ａよりやや大径であり、接続部３６の貫通孔４２よりやや大径であり、後述するカバー本体３４の内径と間隔Ａを有するように、端管１２の外周面から突出して設けられている。これにより、ストッパ部３３は、端管１２が受口８の内側に入りすぎないように防止することができる。
【００２７】
以上のような構成を有する第１の導管５の一端に設けられる端管１２には、図３に示すように、挿口７が構成される。挿口７は、端管１２に対して凹溝１１より内側に挿入されるフランジ部材１３と、凹溝１１に係合される離脱防止部材１４とを備える。
【００２８】
フランジ部材１３は、機械的特性と防錆性に優れたステンレス材等の金属材料からなる。フランジ部材１３は、図３に示すように、挿通孔１３ａを有するリング形状に形成され、挿通孔１３ａの内径が端管１２の外径よりやや大径に設けられている。フランジ部材１３には、挿通孔１３ａの近傍に、挿通孔１３ａの内径又はフランジ部材１３の外径と略同心で端管１２の管軸方向へ突出した脱落防止片２１が形成されている。フランジ部材１３に形成されている脱落防止片２１は、図３に示すように、フランジ部材１３と略同心であり、離脱防止部材１４の外周面と略同径又はやや大径のリング形状に突出して形成されている。また、フランジ部材１３には、略同一円周上に互いに等間隔に、厚み方向に貫通する複数個の第１の貫通孔２２が形成されている。
【００２９】
離脱防止部材１４は、図３に示すように、機械的特性と防錆性に優れたステンレス材等の金属材料からなるリング形状であり、凹溝１１に係合され、フランジ部材１３の一端側への離脱を防止する。
【００３０】
また、挿口７には、図３に示すように、挿口７が受口８に挿入された際に、挿口７と受口８との間に形成されたクリアランスを埋めて密着し、挿口７と受口８との間の水密性、気密性を保持するためにシーリング部材２５が装着される。このシーリング部材２５は、ゴムや合成ゴム等の弾性材料によって、端管１２の外周部にきつく嵌合される内径を有するとともに、先端側に向かって次第に小径となる略円錐筒状に成形されている。シーリング部材２５は、端管１２に対して凹溝１１より外側に装着され、第２の導管６の受口８の受口部２６の内側に圧着された際に、脱落防止片２１に押圧されることによって弾性変形し、挿口７の外周面と受口８の内周面との間に形成されたクリアランスを埋めて密着する厚みを有している。
【００３１】
一方、以上のように構成された挿口７が挿入され、ベローズ管９に接続される受口８は、図３に示すように、挿口７が挿入されて挿口７の直管状の端管１２より大径の受口部２６と、受口部２６の外周面に設けられた結合部２７とを備える。この受口８は、例えば、ベローズ管９同士を接続する場合、ベローズ管９の挿口７が設けられていない側の端管１２に設けられ、また、ベローズ管９と接続される相手方のべローズ管９又は直管の挿口７との接続に用いられる。
【００３２】
受口部２６は、機械的特性と防錆性に優れたステンレス材等の金属材料からなり、端管１２より大径である内径を有する太径管部２８と、第２の導管６の他端と接続され、端管１２の外周面と略同径の外周面を有する直管部２９と、太径管部２８と直管部２９との間を連結する連結管部３０とを有し、全体として断面略漏斗状に形成されている。
【００３３】
太径管部２８には、挿口７が挿入された際に、シーリング部材２５が圧着され、開口部
から内側に向かって次第に小径となり、太径管部２８の内周面と連続するテーパ部３１が形成されている。太径管部２８の外周面の先端には、フランジ部材１３の外径と略同径の外径を有する結合部２７が全周に亘って一体に形成されている。
【００３４】
結合部２７には、厚み方向に貫通する複数個の第２の貫通孔３２が形成されている。第２の貫通孔３２は、略同一円周上に互いに等間隔に形成されている。結合部２７は、第２の貫通孔３２を等間隔に形成することによって、第１の締結ボルト２３と締結ナット２４とによる結合を行う際に、円周方向に対して均等な力をもってフランジ部材１３と結合される。結合部２７は、フランジ部材１３との間に第１の締結ボルト２３を貫通させるため、第２の貫通孔３２が、フランジ部材１３の第１の貫通孔２２にそれぞれ対応して形成されている。
【００３５】
直管部２９は、端管１２の他端と同様の構成を有し、端管１２と同様にベローズ管９と一体化されるので説明を省略する。
【００３６】
パイプインパイプ工法では、可撓管であるベローズ管９を主たる構成要素とする第１の導管５の先端に本発明が適用されたヘッドカバー装置１を接続し、このヘッドカバー装置１にワイヤを取り付けて、ウインチ等でワイヤを巻き取り第１の導管５を引き込んで発進坑２から既設水道管４の内部に挿入させ、到達坑３内に露出させた後に、到達坑３内において、第１の導管５の一端に挿口７を設け、第２の導管６の他端に受口８を設け、第１の貫通孔２２と第２の貫通孔３２とを第１の締結ボルト２３と締結ナット２４とにより結合されることで、これら挿口７と受口８とを接続して配管を行う。
【００３７】
なお、第１の導管５と第２の導管６とを接続するにあたっては、図３に示すような挿口７と受口８とで接続されることに限定されるものでなく、直管状の端管１２同士を溶接によって接合してもよく、また、端管１２の端部にフランジ部を設けて、このフランジ部同士を溶接によって接合してもよい。更に、直管状の端管１２同士を溶接によって接合する場合、凹溝１１は不要となる。
【００３８】
以下、第１の導管５と接続され、第１の導管５を発進坑２から既設水道管４の内部に挿入させ、到達坑３に露出させる本発明が適用されたヘッドカバー装置１について説明する。
【００３９】
本発明が適用されたヘッドカバー装置１は、機械的特性と防錆性に優れたステンレス材等の金属材料からなり、図４、図５及び図６に示すように、先端が次第に縮径するように設けられているカバー本体３４と、このカバー本体３４の先端側外周面に溶接され、ワイヤが取り付けられるワイヤ取付部３５と、端管１２に接続する接続部３６と、第１の半体３４ａと第２の半体３４ｂとを一体に結合する結合部材３７とを有する。
【００４０】
カバー本体３４は、具体的に、略円筒体の一端に円錐状の先端部を設けた形状であり、端管１２に容易に着脱できるように、長軸に沿って２分割された第１の半体３４ａと第２の半体３４ｂとで構成されている。
【００４１】
第１及び第２の半体３４ａ，３４ｂは、当接面３８ａ，３８ｂ同士で突き合わされたとき、第１の導管５の挿入端やその近傍を保護するために、最大外径が第１の導管５と略同径又はやや大径に設けられている。また、第１及び第２の半体３４ａ，３４ｂは、がたつきを有するように、ストッパ部３３の外径との間に間隔Ａを有するような肉厚で設けられている。更に、第１及び第２の半体３４ａ，３４ｂは、端管１２を先端からストッパ部３３まで収納できる程度の全長を有している。
【００４２】
以上のよう構成を有するカバー本体３４は、先端が次第に縮径となるように設けられているので、既設水道管４の内部に挿入されている最中に、可撓管を主たる構成要素とする第１の導管５を、既設水道管４の内部の段差や付着物等に接触又は引っ掛からないようにガイドすることができ、第１の導管の挿入端やその近傍を保護することができる。また、カバー本体３４は、がたつきを有することで、端管１２に対してカバー本体３４の先端の向きを変えることができ、既設曲管内も容易に挿入することができる。
【００４３】
なお、カバー本体３４は、第１の導管５を、先端部が円錐形状であることに限定されるものではなく、既設水道管４の内部の段差や付着物等に接触又は引っ掛からないようにガイドすることができれば、先端側に向かって次第に縮径する曲面形状に設けてもよい。
【００４４】
カバー本体３４の円錐状の先端部には、ワイヤ４７が取り付けられるワイヤ取付部３５が設けられている。このワイヤ取付部３５は、カバー本体３４の先端部に一定幅で全体が略三角状となるように形成されている。すなわち、第１の半体３４ａの先端面には、当接面３８ａに沿って、ワイヤ４７が取り付けられる第１のワイヤ取付片３５ａが設けられ、第２の半体３４ｂの先端面には、当接面３８ｂに沿って、第２のワイヤ取付片３５ｂが設けられている。
【００４５】
第１及び第２のワイヤ取付片３５ａ，３５ｂの側面には、第１の半体３４ａと第２の半体３４ｂとを当接面３８ａ，３８ｂ同士で突き合わせたときに一致し、ワイヤ４７が取り付けられる第１及び第２の貫通孔３９ａ，３９ｂが形成されている。例えば、第１及び第２の貫通孔３９ａ，３９ｂは、カバー本体３４の中心軸上及びワイヤ取付部３５の両端近傍の３箇所に形成されている。
【００４６】
更に、第１及び第２のワイヤ取付片３５ａ，３５ｂの側面には、第１の半体３４ａと第２の半体３４ｂとを当接面３８ａ，３８ｂ同士で突き合わせたときに一致し、第１の半体３４ａと第２の半体３４ｂとを一体に結合する第１及び第２の締結孔４０ａ，４０ｂが形成されている。例えば、第１及び第２の締結孔４０ａ，４０ｂは、カバー本体３４の中心軸上と一端近傍とに形成され第１の貫通孔３９ａ，３９ａの間と、カバー本体３４の中心軸上と他端近傍とに形成され第１の貫通孔３９ａ，３９ａの間に２箇所形成されている。また、第１及び第２の締結孔４０ａ，４０ｂは、例えば、一方の半体の締結孔をネジ孔で形成し、第２の締結ボルト４１を他方の半体の締結孔から挿通させて、一方の締結孔で締結させることで、第１及び第２の半体３４ａ，３４ｂを一体に結合させる。なお、第２の締結ボルト４１と締結ナットとで締結させることで、第１及び第２の半体３４ａ，４ｂとを一体に結合させてもよい。また、第１及び第２の締結孔４０ａ，４０ｂは、２箇所形成されることに限定されるものではなく、適宜変更可能である。
【００４７】
以上のような構成を有するワイヤ取付部３５は、ワイヤ４７を取り付けることができると共に、第１及び第２の半体３４ａ，３４ｂとを一体に結合することができ、更に既設水道管４の内部に挿入されたときに、第１の導管５を、既設水道管４の内部の段差や付着物等に引っ掛からないように滑らかに挿入することができる。
【００４８】
更に、カバー本体３４には、ワイヤ取付部３５が設けられた先端側と反対側の基端部にそれぞれ端管１２のストッパ部３３に係止されて端管１２と接続する接続部３６が設けられている。すなわち、第１の半体３４ａには、第１のワイヤ取付片３５ａが設けられた先端側と反対側の基端部に端管１２のストッパ部３３に係止される第１の係止部３６ａが設けられ、第２の半体３４ｂには、第２のワイヤ取付片３５ｂが設けられた先端側と反対側の基端部に端管１２のストッパ部３３に係止される第２の係止部３６ｂが設けられている。
【００４９】
第１及び第２の係止部３６ａ，３６ｂは、がたつきを有するように、内径が端管１２の外径より間隔Ｂの分だけ大径であると共に、ストッパ部３３の外径よりやや小径に設けられている。
【００５０】
また、第１及び第２の半体３４ａ，３４ｂの基端部の底面には、第１の半体３４ａと第２の半体３４ｂとを当接面３８ａ，３８ｂ同士で突き合わせたときに当接面３８ａ，３８ｂに対して略対称となり、第１の半体３４ａと第２の半体３４ｂとを一体に結合する第１及び第２の結合孔４３ａ，４３ｂが形成されている。例えば、第１及び第２の結合孔４３ａ，４３ｂは、それぞれ当接面３８ａ，３８ｂ近傍であり両端近傍に、２箇所形成されている。
【００５１】
以上のような構成を有する接続部３６は、第１及び第２の半体３４ａ，３４ｂとを後述する結合部材３７で一体に結合されると、既設水道管４の内部に挿入されている最中に、第１の導管５に対してカバー本体３４の先端の向きが変えられるようながたつきを有してストッパ部３３と当接することができる。
【００５２】
結合部材３７は、薄板矩形状であり、第１及び第２の半体３４ａ，３４ｂを結合するために、第１及び第２の半体３４ａ，３４ｂの基端部の底面に形成された第１の結合孔４３ａに対応させた第１の結合孔４４ａと、第２の結合孔４３ｂに対応させた第２の結合孔４４ｂとが形成されている。なお、結合部材３７は、第１及び第２の半体３４ａ，３４ｂの何れか一方の半体に、溶接や蝶番によって取り付けられているようにし、他方の半体に、第３の締結ボルト４５で締結されて、第１及び第２の半体３４ａ，３４ｂとが一体に結合されるようにしてもよい。
【００５３】
以上のような構成を有するヘッドカバー装置１は、第１の導管５を発進坑２から既設水道管４の内部に挿入させるときに、第１及び第２の貫通孔３９ａ，３９ｂを一致させると共に、第１及び第２の係止部３６ａ，３６ｂをストッパ部３３より内側に配置された状態で第１及び第２の半体３４ａ，３４ｂを当接面３８ａ，３８ｂ同士で突き合わせ、第１の結合孔４３ａと結合部材３７の第１の結合孔４４ａとを一致させると共に、第２の結合孔４３ｂと結合部材３７の第２の結合孔４４ｂとを一致させて第３の締結ボルト４５で締結させ、第１及び第２の半体３４ａ，３４ｂとが一体に結合されることで、第１及び第２の係止部３６ａ，３６ｂとストッパ部３３とが係止されて端管１２に接続される。
【００５４】
そして、端管１２に接続されたヘッドカバー装置１は、ワイヤ４７が取り付けられたワイヤ取付部材４６がワイヤ取付部３５に取り付けられ、ウインチ等でワイヤ４７を巻き取ることで、ヘッドカバー装置１と接続された第１の導管５と共に、発進坑２から既設水道管４の内部に挿入される。
【００５５】
ヘッドカバー装置１とこのヘッドカバー装置１と接続された第１の導管５を発進坑２から既設水道管４の内部に挿入するワイヤ取付部材４６は、ステンレス材等の金属材料からなり、第１のワイヤ取付片３５ａの側面と当接される第１の取付片４６ａと、第２のワイヤ取付片３５ｂと当接される第２の取付片４６ｂと、これら第１の取付片４６ａと第２の取付片４６ｂとが連続する第３の連続部４６ｃとで略Ｕ字状をなしている。
【００５６】
第１及び第２の取付片４６ａ，４６ｂは、第１の半体３４ａと第２の半体３４ｂとが当接面３８ａ，３８ｂ同士で突き合わされたときのワイヤ取付部３５の厚さと、略同等の間隔で設けられている。また、第１の取付片４６ａには、第１の貫通孔３９ａと一致する位置に厚み方向に貫通する第１の取付孔４８ａが形成され、第２の取付片４６ｂには、第２の貫通孔３９ｂと一致する位置に厚み方向に貫通する第２の取付孔４８ｂが形成されている。更に、第３の連続部４６ｃには、例えば先端を輪形状に形成したワイヤ４７が取り付けられている。
【００５７】
以上のような構成を有するワイヤ取付部材４６は、第１及び第２の半体３４ａ，３４ｂが当接面３８ａ，３８ｂ同士で突き合わされた後に、第１の貫通孔３９ａと第１の取付孔４８ａとを一致させ、第２の貫通孔３９ｂと第２の取付孔４８ｂとを一致させて、それぞれ第４の締結ボルト４９を挿通させて、第４の締結ボルト４９と締結ナットとで締結させることで、ヘッドカバー装置１に取り付けることができる。なお、第１及び第２の取付孔４８ａ，４８ｂのどちらか一方をネジ孔で形成し、第４の締結ボルト４９を他方の取付孔から挿通させて、一方の取付孔で締結させることで、ヘッドカバー装置１に取り付けてもよい。
【００５８】
また、ワイヤ取付部材４６は、第１及び第２の取付片４６ａ，４６ｂとの間隔が、第１及び第２の半体３４ａ，３４ｂが当接面３８ａ，３８ｂ同士で突き合わされたときのワイヤ取付部３５の厚さと略同等に設けられているので、第１及び第２のワイヤ取付片３５ａ，３５ｂの側面を挟み込み第４の締結ボルト４９で締結することで、第１及び第２の半体３４ａ，３４ｂとを先端側で一体に結合することができる。
【００５９】
なお、第１及び第２の半体３４ａ，３４ｂは、先端部や側面に蝶番等のヒンジ部を設けて、ヒンジ部によって連結しておいてもよい。
【００６０】
次に、以上のような構成を有するヘッドカバー装置１の使用方法について説明する。なお、ここでは、既設管の管路更新工法であるパイプインパイプ工法を用いて、鋳鉄管で形成され、既設水道管４が管路更新される場合を例にとり説明する。
【００６１】
先ず、発進坑２及び到達坑３は、図１に示すように、バックホウ等で既設水道管４が完全に露出される程度まで深く堀削され、図示はしないが、ライナープレート等で築造される。そして、発進坑２及び到達坑３内で露出された既設水道管４は、既設水道管４の内径より径の小さな新規水道管である第１の導管５を挿入又は露出するためにガス溶断器やカッタ等で開口部が形成される。そして、場合により、両端に開口部が形成された既設水道管４は、新規水道管である第１の導管５が挿通しやすくなるようにピグ工法等で管内の錆や付着物等が除去される。そして、既設水道管４は、一方の開口部よりワイヤ４７が挿入され、他方の開口部より露出される。そして、ワイヤ４７は、発進坑２において、一端がワイヤ取付部材４６の第３の連続部４６ｃに取り付けられ、到達坑３において、他端がワイヤ４７を巻き取るウインチ等に取り付けられる。
【００６２】
次に、発進坑２において、第１及び第２の半体３４ａ，３４ｂは、第１及び第２の貫通孔３９ａ，３９ｂが一致されると共に、第１及び第２の締結孔４０ａ，４０ｂが一致され、更に第１及び第２の係止部３６ａ，３６ｂをストッパ部３３より内側に配置された状態で当接面３８ａ，３８ｂ同士で突き合わされる。
【００６３】
次に、第１及び第２の半体３４ａ，３４ｂは、図６及び図７に示すように、第１及び第２の締結孔４０ａ，４０ｂが第２の締結ボルト４１で締結されると共に、第１の結合孔４３ａと第１の結合孔４４ａとが一致され、第２の結合孔４３ｂと第２の結合孔４４ｂとが一致され、それぞれ第３の締結ボルト４５で締結されてカバー本体３４の基端側が一体に結合される。これにより、ヘッドカバー装置１は、図４に示すように、端管１２に接続される。
【００６４】
次に、ヘッドカバー装置１には、図８に示すように、第１の貫通孔３９ａと第１の取付孔４８ａとが一致され、第２の貫通孔３９ｂと第２の取付孔４８ｂとが一致されて、第４の締結ボルト４９が挿通されて締結されることで、ワイヤ取付部材４６が取り付けられる。このとき、第１及び第２の半体３４ａ，３４ｂは、第１及び第２の取付片４６ａ，４６ｂとの間隔が、第１及び第２の半体３４ａ，３４ｂが当接面３８ａ，３８ｂ同士で突き合わされたときのワイヤ取付部３５の厚さと略同等に設けられているので、第１及び第２のワイヤ取付片３５ａ，３５ｂの側面が挟み込まれ、第４の締結ボルト４９で締結されてカバー本体３４の先端側が一体に結合される。
【００６５】
次に、到達坑３においてウインチ等でワイヤ４７を巻き取ることで、第１の導管５は、両端に開口部が形成された既設水道管４に、既設水道管４の一端の開口部よりヘッドカバー装置１を挿入端として挿入される。このとき、第１の導管５には、更に外層部に保護シートが巻回されており、この保護シートは、ベローズ管９を既設水道管４内の付着物等から保護すると共に、既設水道管４に対して滑りやすくした状態で既設水道管４に挿入される。なお、保護シートは、使用条件によっては、設けなくてもよい。
【００６６】
次に、既設水道管４の一端の開口部よりヘッドカバー装置１を挿入端として挿入された第１の導管５は、到達坑３において、既設水道管４の他端の開口部から外部に露出される。そして、ヘッドカバー装置１は、結合部材３７とワイヤ取付部材４６とを取り外し、第１及び第２の半体３４ａ，３４ｂを取り外すことで、端管１２から取り外される。そして、ヘッドカバー装置１が取り外された端管１２には、フランジ部材１３、離脱防止部材１４、シーリング部材２５等が取り付けられ、挿口７が構成される。
【００６７】
具体的に、端管１２は、到達坑３において、図３に示すように、フランジ部材１３が挿入される。そして、フランジ部材１３が挿入された端管１２は、離脱防止部材１４が凹溝１１に係合される。そして、フランジ部材１３は、先端側に離脱防止するため、脱落防止片２１を凹溝１１に係合された離脱防止部材１４と重なった状態に設ける。そして、離脱防止部材１４によってフランジ部材１３が先端側に離脱防止された端管１２には、シーリング部材２５が外周面に嵌合されて装着される。
【００６８】
次に、挿口７は、既に既設水道管４を管路更新させた他の新規管である第２の導管６の受口８の受口部２６に挿入され、第１及び第２の貫通孔２２，３２を第１の締結ボルト２３と締結ナット２４とにより結合されることで、受口８と接続される。
【００６９】
次に、第１の導管５と第２の導管６とが接続された到達坑３は、埋め戻されて路面の復旧が行われる。
【００７０】
以上のような構成を有する本発明が適用されたヘッドカバー装置１は、カバー本体３４の最大外径が第１の導管５と略同径又はやや大径に設けられているので、第１の導管５を、既設水道管４の内部の段差や付着物等に接触又は引っ掛からないようにガイドすることができ、第１の導管５の端管１２と、この端管１２とベローズ管９との接続部近傍とを保護することができる。
【００７１】
また、ヘッドカバー装置１は、ストッパ部３３の外径が、第１及び第２の係止部３６ａ，３６ｂの貫通孔４２よりやや大径であり、カバー本体３４の内径と間隔Ａを有するように端管１２の外周面から突出して設けられ、第１及び第２の係止部３６ａ，３６ｂの内径が、端管１２の外径より間隔Ｂの分だけ大径であると共に、ストッパ部３３の外径よりやや小径に設けられているので、ストッパ部３３とがたつきを有するように当接することができ、第１の導管５を、発進坑２から既設水道管４の内部に挿入することができる。
【００７２】
更に、ヘッドカバー装置１は、ストッパ部３３とがたつきを有するように当接することができるので、例えば既設水道管４が折曲角度が９０°、４５°、２２．５°或いは１１．２５°のベンド管等で所定の角度を有して配管されている場合であっても、既設水道管４の所定の角度に応じてカバー本体３４の先端の向きを変えることができ、第１の導管５を滑らかに挿入することができる。
【００７３】
また、ヘッドカバー装置１は、間隔Ａ及び間隔Ｂを調整することで、端管１２に対するがたつき量を調整することができ、例えば既設水道管４が直管である場合、角度に応じて先端の向きを変える必要が無いので、がたつき量を少なく又は無くして、直進性を向上させ、第１の導管５を滑らかに挿入することができる。
【００７４】
更に、ヘッドカバー装置１は、カバー本体３４の先端部が略円錐形状に設けられ、これに沿うように第１及び第２のワイヤ取付片３５ａ，３５ｂが先端側に向かって次第に縮径するように設けられているので、第１の導管５を、既設水道管４の内部の段差や付着物等に引っ掛からないように滑らかに挿入することができる。
【００７５】
また、ヘッドカバー装置１は、ワイヤ取付部３５に複数個形成された第１及び第２の貫通孔３９ａ，３９ｂにそれぞれワイヤ取付部材４６を介してワイヤ４７が取り付けられているので、例えば既設水道管４が折曲角度が９０°、４５°、２２．５°或いは１１．２５°のベンド管等で所定の角度を有して配管されている場合であっても、ワイヤ取付部３５の両端に形成されたうちの一方のワイヤ４７を引っ張ることにより他方のワイヤ４７側に先端を端管１２又はベローズ管９に対して傾けさせることができ、第１の導管５を、滑らかに挿入することができる。
【００７６】
更に、ヘッドカバー装置１は、第１及び第２の貫通孔３９ａ，３９ｂを一致させると共に、第１及び第２の係止部３６ａ，３６ｂをストッパ部３３より内側に配置された状態で第１及び第２の半体３４ａ，３４ｂを当接面３８ａ，３８ｂ同士で突き合わせ、第１の結合孔４３ａと結合部材３７の第１の結合孔４４ａとを一致させると共に、第２の結合孔４３ｂと結合部材の第２の結合孔４４ｂとを一致させて、第３の締結ボルト４５で締結させ、第１及び第２の半体３４ａ，３４ｂとが一体に結合されることで、第１及び第２の係止部３６ａ，３６ｂとストッパ部３３とが係止されて容易に端管１２に接続することができる。
【００７７】
また、ヘッドカバー装置１は、第３の締結ボルト４５を取り外して結合部材３７を取り外し、第１の半体３４ａと第２の半体３４ｂとを分け離すことで、容易に端管１２から取り外すことができる。
【００７８】
更に、ワイヤ取付部材４６は、第１の及び第２の半体３４ａ，３４ｂが当接面３８ａ，３８ｂ同士で突き合わされた後に、第１及び第２の取付片４６ａ，４６ｂとの間隔が、第１の及び第２の半体３４ａ，３４ｂが当接面３８ａ，３８ｂ同士で突き合わされたときのワイヤ取付部３５の厚さと略同等に設けられているので、第１及び第２のワイヤ取付片３５ａ，３５ｂの側面を挟み込み、第４の締結ボルト４９で締結することで、第１及び第２の半体３４ａ，３４ｂを一体に結合することができる。
【００７９】
また、ストッパ部３３は、外径が、フランジ部材１３の挿通孔１３ａよりやや大径となるように端管１２の外周面から突出して設けられているので、端管１２が受口８の内側に入りすぎないように防止することができる。
【００８０】
なお、ヘッドカバー装置１は、第１及び第２のワイヤ取付片３５ａ，３５ｂに第１及び第２の締結孔４０ａ，４０ｂを形成することに限定されるものではなく、第１及び第２の締結孔４０ａ，４０ｂを形成せずに、例えば、第１及び第２の半体３４ａ，３４ｂを、複数個のワイヤ取付部材４６で先端側を結合し、結合部材３７で基端側を結合することで一体に結合してもよい。
【００８１】
また、ヘッドカバー装置１は、第１及び第２のワイヤ取付片３５ａ，３５ｂに複数個のワイヤ取付部材４６を取り付けることに限定されるものでなく、少なくともカバー本体３４の中心軸上に１箇所、ワイヤ取付部材４６が取り付けられていればよく、例えば、第１及び第２の半体３４ａ，３４ｂを、カバー本体３４の中心軸上に取り付けられたワイヤ取付部材４６で先端側を結合し、結合部材３７で基端側を結合することで一体に結合してもよい。
【００８２】
また、ヘッドカバー装置１は、第１及び第２の半体３４ａ，３４ｂで構成されることに限定されるものではなく、一体形状であってもよい。以下、一体形状のヘッドカバー装置５０について説明する。
【００８３】
先ず、既設水道管４の内部に挿入される第１の導管５、第１の導管５の一端に設けられる挿口７、第２の導管６及び第２の導管５の他端に設けられる受口８は、ヘッドカバー装置１と同様の構成を有するので、同様の符号を付して説明を省略する。また、挿口７が構成される端管１２は、ヘッドカバー装置１の端管１２にストッパ部３３を設けることに代わり、取付片５１を設けること以外同様の構成を有するので、取付片５１以外の説明を省略する。
【００８４】
ヘッドカバー装置５０が接続される取付片５１は、図９及び図１０に示すように、端管１２の外周面に形成されている。取付片５１は、薄板矩形状であり、端管１２の外周面に、長軸を中心に略等間隔に４箇所に、それぞれ半径方向の外周面側に向かって突設されている。また、取付片５１は、主面が長軸に対して直交する向きに設けられている。更に、取付片５１の主面には、後述するヘッドカバー装置５０の接続片５６と重ね合わせて接続する取付孔５３が形成されている。なお、取付片５１は、４箇所設けることに限定されるものではなく、例えば長軸を中心に略等間隔に２箇所でもよく、適宜変更可能である。
【００８５】
次に、第１の導管５と接続され、第１の導管５を発進坑２から既設水道管４の内部に挿入させ、到達坑３に露出させる本発明が適用されたヘッドカバー装置５０について説明する。
【００８６】
本発明が適用されたヘッドカバー装置５０は、機械的特性と防錆性に優れたステンレス材等の金属材料からなり、図９及び図１０に示すように、カバー本体５４と、このカバー本体５４の先端側外周面に溶接され、ワイヤ４７が取り付けられるワイヤ取付部５５と、端管１２に接続する接続片５６とを有する。
【００８７】
ここで、カバー本体５４及びワイヤ取付部５５については、一体で設けられていること以外は、ヘッドカバー装置１のカバー本体３４及びワイヤ取付部３５と同様の構成を有するので、説明は省略する。
【００８８】
端管１２の取付片５１と接続される接続片５６は、カバー本体５４のワイヤ取付部５５が設けられた先端側と反対側の基端面に設けられている。接続片５６は、薄板矩形状であり、基端面に、貫通孔５７の半径方向に対して長軸を中心に略等間隔に４箇所に、長軸方向の基端側に向かって突設されている。また、接続片５６は、主面が貫通孔５７の半径方向に対して直交する向きに設けられている。更に、接続片５６の主面には、取付片５１と接続する接続孔５８が形成されている。なお、接続片５６は、４箇所設けることに限定されるものではなく、例えば長軸を中心に略等間隔に２箇所でもよく、適宜変更可能である。
【００８９】
ここで、ワイヤ取付部材４６については、ヘッドカバー装置５０が一体で設けられているので、ワイヤ取付部３５の側面を第１の取付片４６ａと第２の取付片４６ｂとで挟み込むことが不要となる以外は、同様の構成を有するので、説明は省略する。
【００９０】
以上のような構成を有するヘッドカバー装置５０は、ヘッドカバー装置１が有する効果に加えて、一体形状で設けられているので、割り構造を結合する手間が必要なく、容易に端管１２に接続することができると共に、容易に取り外すことができる。
【００９１】
また、ヘッドカバー装置５０は、端管１２を貫通孔５７に挿入し、接続片５６と取付片５１とを重ね合わせると共に、接続孔５８と取付孔５３とを一致させた状態で、接続孔５８と取付孔５３とを第５の締結ボルト５２で締結することで、端管１２に固定して接続することができるので、ヘッドカバー装置１ががたつきを有して可動するように端管１２と接続されているのに対して、まっすぐな既設水道管４に、滑らかに挿入することができる。
【００９２】
次に、一体形状の他のヘッドカバー装置６０について説明する。
【００９３】
先ず、既設水道管４の内部に挿入される第１の導管５、第１の導管５の一端に設けられる挿口７、第２の導管６及び第２の導管５の他端に設けられる受口８は、ヘッドカバー装置１と同様の構成を有するので、同様の符号を付して説明を省略する。また、挿口７が構成される端管１２は、ヘッドカバー装置１の端管１２にストッパ部３３を設けることに代わり、取付片６１を設けること以外同様の構成を有するので、取付片６１以外の説明を省略する。
【００９４】
ヘッドカバー装置６０が接続される取付片６１は、図１１及び図１２に示すように、薄板矩形状であり、端管１２の他端に設けられた鍔部材１６に、長軸を中心に略等間隔に４箇所に、先端側に向かって突設されている。また、取付片６１は、主面が端管１２の半径方向に向くように設けられている。また、取付片６１の主面には、後述するヘッドカバー装置６０の接続片６６と重ね合わせて接続する取付孔６３が形成されている。なお、取付片６１は、４箇所設けることに限定されるものではなく、例えば長軸を中心に略等間隔に２箇所でもよく、適宜変更可能である。
【００９５】
次に、第１の導管５と接続され、第１の導管５を発進坑２から既設水道管４の内部に挿入させ、到達坑３に露出させる本発明が適用されたヘッドカバー装置６０について説明する。
【００９６】
本発明が適用されたヘッドカバー装置６０は、機械的特性と防錆性に優れたステンレス材等の金属材料からなり、図１１及び図１２に示すように、カバー本体６４と、このカバー本体６４の先端側外周部に溶接され、ワイヤが取り付けられるワイヤ取付部６５と、端管１２に接続する接続片６６とを有する。
【００９７】
ここで、カバー本体６４及びワイヤ取付部６５については、一体で設けられていること以外は、ヘッドカバー装置１のカバー本体３４及びワイヤ取付部３５と同様の構成を有するので、説明は省略する。
【００９８】
端管１２の取付片６１と接続される接続片６６は、カバー本体６４のワイヤ取付部５５が設けられた先端側と反対側の基端面に設けられている。接続片６６は、薄板矩形状であり、基端面に、貫通孔６７の半径方向に対して長軸を中心に略等間隔に４箇所に、長軸方向の基端側に向かって突設されている。また、接続片５６は、主面が貫通孔５７の半径方向に向くように設けられている。更に、接続片６６の主面には、取付片６１と接続する接続孔６８が形成されている。なお、接続片６６は、４箇所設けることに限定されるものではなく、例えば長軸を中心に略等間隔に２箇所でもよく、適宜変更可能である。
【００９９】
ここで、ワイヤ取付部材４６については、ヘッドカバー装置６０が一体で設けられているので、ワイヤ取付部３５の側面を第１の取付片４６ａと第２の取付片４６ｂとで挟み込むことが不要となる以外は、同様の構成を有するので、説明は省略する。
【０１００】
以上のような構成を有するヘッドカバー装置６０は、ヘッドカバー装置１が有する効果に加えて、一体形状で設けられているので、割り構造を結合する手間が必要なく、容易に端管１２に接続することができると共に、容易に取り外すことができる。
【０１０１】
また、ヘッドカバー装置６０は、端管１２を貫通孔６７に挿入し、接続片６６と取付片６１とを重ね合わせると共に、接続孔６８と取付孔６３とを第６の締結ボルト６２で締結することで、端管１２に固定して接続することができるので、ヘッドカバー装置１ががたつきを有して可動するように端管１２と接続されているのに対して、まっすぐな既設水道管４に、滑らかに挿入することができる。
【０１０２】
更に、ヘッドカバー装置６０は、接続片６６と端管１２の他端に設けられた鍔部材１６に設けられた取付片６１とを締結するので、ヘッドカバー装置６０の基端面と鍔部材１６との隙間を小さく又は無くすことができ、既設水道管４の内部の段差や付着物等に引っ掛からないように第１の導管５を挿入することができる。
【０１０３】
なお、ヘッドカバー装置５０，６０は、複数個のワイヤ取付部材４６を取り付けることに限定されるものでなく、少なくとも中心軸上に１箇所、ワイヤ取付部材４６が取り付けられていればよい。
【０１０４】
また、ヘッドカバー装置１，５０，６０は、ステンレス材に限定されるものではなく、例えば、銅、チタン、アルミニウム合金等のその他の金属材料又は合成樹脂等によって設けてもよい。
【０１０５】
更に、ヘッドカバー装置１，５０，６０は、ワイヤ取付部３５を複数個設けてもよい。
【０１０６】
ヘッドカバー装置１，５０，６０は、例えば、ワイヤ取付部３５を略十字形状に設け、略十字形状に設けられたワイヤ取付部３５の両端近傍に取付貫通孔３７を形成し、それぞれの取付貫通孔３７にワイヤ取付部材４６を介してワイヤ４７を取り付けることで、等間隔に４つ、すなわち９０°の角度を有してワイヤ４７を取り付けることができる。これにより、ヘッドカバー装置１，５０，６０は、上下左右の４方向に先端を端管１２又はベローズ管９に対して傾けさせることができ、例えば既設水道管４が折曲角度が９０°、４５°、２２．５°或いは１１．２５°のベンド管等で所定の角度を有して配管されている場合であっても、ワイヤ取付部３５の４方向に形成されたうちの一のワイヤ４７を引っ張ることにより一のワイヤと対向する他のワイヤ４７側に先端を端管１２又はベローズ管９に対して傾けさせることができ、第１の導管５を、滑らかに挿入することができる。
【０１０７】
また、ヘッドカバー装置１，５０，６０は、既設水道管４を管路更新させることに限定されず、水道水以外の他の液体を流す既設管、都市ガスや冷却ガス等の気体を流す既設管、又は、粉体、粒体、ゲル状体等の固体からなる流体を流す既設管等を管路更新させる新規管を接続させることに用いてもよい。
【０１０８】
更に、ヘッドカバー装置１，５０，６０は、鋳鉄管からなる既設水道管４を管路更新されることに限定されず、塩化ビニール系樹脂管やポリエチレン系樹脂管等の樹脂管、又は、鋼鉄管やアルミ合金管等の金属管等からなる既設管を管路更新させる新規管を接続させることに用いてもよい。
【０１０９】
また、ヘッドカバー装置１，５０，６０は、第１の導管５と第２の導管６とに、ステンレス材からなる可撓管を用いることに限定されるものではなく、塩化ビニール系樹脂管やポリエチレン系樹脂管等の可撓性を有する樹脂管、又は、鋼鉄管やアルミ合金管等の可撓性と有する金属管等を用いてもよい。
【０１１０】
更に、ヘッドカバー装置１，５０，６０は、地中に直接掘った孔に新規管を挿入する推進工法に用いてもよい。
【図面の簡単な説明】
【０１１１】
【図１】本発明を適用したヘッドカバー装置の実施例の断面図である。
【図２】第１の導管及び第２の導管の要部縦断面図である。
【図３】挿口と受口とを接続させた状態を示した縦断面図である。
【図４】本発明を適用したヘッドカバー装置と第１の導管とを接続させた状態を示した縦断面図である。
【図５】本発明を適用したヘッドカバー装置の分解斜視図である。
【図６】本発明を適用したヘッドカバー装置の分解背面斜視図である。
【図７】本発明を適用したヘッドカバー装置の背面図である。
【図８】本発明を適用したヘッドカバー装置にワイヤ取付部材を取り付けた状態を示した斜視図である。
【図９】本発明を適用した他のヘッドカバー装置と第１の導管とを接続させた状態を示した縦断面図である。
【図１０】本発明を適用した他のヘッドカバー装置の分解背面斜視図である。
【図１１】本発明を適用した他のヘッドカバー装置と第１の導管とを接続させた状態を示した縦断面図である。
【図１２】本発明を適用した他のヘッドカバー装置の分解斜視図である。
【符号の説明】
【０１１２】
１  ヘッドカバー装置、２  発進坑、３  到達坑、４  既設水道管、５  第１の導管、６  第２の導管、７  挿口、８  受口、９  ベローズ管、９ａ  ベローズ本体、９ｂ  接続部、１０  ブレード、１１  凹溝、１２  端管、１３  フランジ部材、１３ａ  挿通孔、１４  離脱防止部材、１６  鍔部材、１７  ブレード押さえ部材、１８  防錆テープ、１９  保護テープ、２０  止めリング、２１  脱落防止片、２２  第１の貫通孔、２３  第１の締結ボルト、２４  締結ナット、２５  シーリング部材、２６  受口部、２７  結合部、２８  太径管部、２９  直管部、３０  連結管部、３１  テーパ部、３２  第２の貫通孔、３３  ストッパ部、３４  カバー本体、３４ａ  第１の半体、３４ｂ  第２の半体、３５  ワイヤ取付部、３５ａ  第１のワイヤ取付部、３５ｂ  第２のワイヤ取付部、３６  接続部、３６ａ  第１の係止部、３６ｂ  第２の係止部、３７  結合部材、３８ａ  当接面、３８ｂ  当接面、３９ａ  第１の貫通孔、３９ｂ  第２の貫通孔、４０ａ  第１の締結孔、４０ｂ  第２の締結孔、４１  第２の締結ボルト、４２  貫通孔、４３ａ  第１の結合孔、４３ｂ  第２の結合孔、４４ａ  第１の結合孔、４４ｂ  第２の結合孔、４５  第３の締結ボルト、４６  ワイヤ取付部材、４６ａ  第１の取付片、４６ｂ  第２の取付片、４６ｃ  第３の連結部、４７  ワイヤ、４８ａ  第１の取付孔、４８ｂ  第２の取付孔、４９  第４の締結ボルト、５０  ヘッドカバー装置、５１  取付片、５２  第５の締結ボルト、５３  取付孔、５４  カバー本体、５５  ワイヤ取付部、５６  接続片、５７  貫通孔、５８  接続孔、６０  ヘッドカバー装置、６１  取付片、６２  第６の締結ボルト、６３  取付孔、６４  カバー本体、６５  ワイヤ取付部、６６  接続片、６７  貫通孔、６８  接続孔
【図１】
0005069511.tif 000002
【図２】
0005069511.tif 000003
【図３】
0005069511.tif 000004
【図４】
0005069511.tif 000005
【図５】
0005069511.tif 000006
【図６】
0005069511.tif 000007
【図７】
0005069511.tif 000008
【図８】
0005069511.tif 000009
【図９】
0005069511.tif 000010
【図１０】
0005069511.tif 000011
【図１１】
0005069511.tif 000012
【図１２】
0005069511.tif 000013